(57)【要約】【課題】フレキシブル配線基板（ＦＰＣ）を複数設けることなく、表示部を介してＦＰＣ側とは反対側のＦＰＣから離間した補助容量信号入力配線に遅滞なく補助容量信号を送ることができる液晶表示装置を提供する。【解決手段】液晶表示装置１００は、複数の補助容量線を有する矩形の液晶パネル１１０と、液晶パネル１１０の一辺に沿って側端に取り付けられたＦＰＣ１２０と、を備える。液晶パネル１１０は、表示部Ｄを介してＦＰＣ１２０側とは反対側に補助容量信号入力配線１１７が設けられている。ＦＰＣ１２０は、液晶パネル１１０の一辺に沿ってその側端に取り付けられたＦＰＣ本体部１２１と、液晶パネル１１０のＦＰＣ本体部１２１が取り付けられた辺の隣接辺に沿って延び補助容量信号入力配線に接続された延設部１２２と、を有する【選択図】図１
2004118089.tif 000002
【特許請求の範囲】
【請求項１】
複数の補助容量線を有する第１基板と該第１基板に対向するように設けられた第２基板と該第１及び第２基板に狭持されるように設けられた液晶層とを有する矩形の液晶パネルと、該液晶パネルの一辺に沿って側端に取り付けられたフレキシブル配線基板と、を備えた液晶表示装置であって、
上記液晶パネルは、表示部を介して上記フレキシブル配線基板側とは反対側に上記第１基板の複数の補助容量線が結線された補助容量信号入力配線が設けられており、
上記フレキシブル配線基板は、上記液晶パネルの一辺に沿ってその側端に取り付けられたフレキシブル配線基板本体部と、該液晶パネルの該フレキシブル配線基板本体部が取り付けられた辺の隣接辺に沿って延び上記補助容量信号入力配線に接続された延設部と、を有することを特徴とする液晶表示装置。
【請求項２】
請求項１に記載された液晶表示装置において、
上記フレキシブル配線基板本体部と上記延設部とが一体に形成されていることを特徴とする液晶表示装置。
【請求項３】
請求項１に記載された液晶表示装置において、
上記延設部が上記補助容量信号入力配線のみに接続されていることを特徴とする液晶表示装置。
【発明の詳細な説明】
【０００１】
【発明の属する技術分野】
本発明は、複数の補助容量線を有する第１基板とその第１基板に対向するように設けられた第２基板と第１及び第２基板に狭持されるように設けられた液晶層とを有する矩形の液晶パネルと、液晶パネルの一辺に沿って取り付けられたフレキシブル配線基板（ＦＰＣ（Ｆｌｅｘｉｂｌｅ　Ｐｒｉｎｔｅｄ　Ｃｉｒｃｉｔ）、以下「ＦＰＣ」という）と、を備えた液晶表示装置に関する。
【０００２】
【従来の技術】
アクティブマトリクス型の液晶表示装置は、アクティブマトリクス基板と、そのアクティブマトリクス基板に対向するように設けられた対向基板と、それらの両基板に狭持されるように設けられた液晶層と、を有する液晶パネルを備えている。また、かかる液晶表示装置では、通常、液晶パネルに、液晶駆動用ＩＣと、その液晶駆動用ＩＣを動作させる信号及び液晶パネルへ直接に制御信号を入力するためのＦＰＣとが実装されている。
【０００３】
液晶駆動用ＩＣの実装構造としては、従来からＴＣＰ（Ｔａｐｅ　Ｃａｒｒｉｅｒ　Ｐａｃｋａｇｅ）を用いたものが一般に知られているが、近年では、低コスト、高信頼性、薄型化等の観点から、液晶駆動用ＩＣを液晶パネルにベアチップ実装したＣＯＧ（Ｃｈｉｐ　Ｏｎ　　Ｇｌａｓｓ）方式を用いたものも見られるようになってきている。その中でも、液晶駆動用ＩＣの電極に突起状のバンプを形成し、液晶パネルと液晶駆動用ＩＣとをフェイスダウンボンディング接続する接続方式が一般的である。
【０００４】
かかる構成の一例として下記の特許文献１には、液晶表示装置のガラス基板上にＣＯＧにてドライバを実装すると共に両面ＦＰＣをガラス基板周辺を囲むように配置し、かつ両面ＦＰＣと接続された一枚のＬ字状の回路基板を液晶表示装置の表示部以外で重ね合わせる技術が開示されており、これによって液晶表示装置上の配線の微細化による配線抵抗の増大と液晶表示装置に駆動信号を供給するために用いられるＦＰＣの延展による装置の面積の増加を抑える、と記載されている。
【０００５】
以下に、液晶駆動用ＩＣをＣＯＧ方式で液晶パネルにフェイスダウンボンディング接続させた従来の液晶表示装置１００’について、図３の概略平面図を用いて説明する。
【０００６】
この液晶表示装置１００’の液晶パネル１１０’には、表示部Ｄ’の外側に液晶パネル１１０’の相互に隣接する２つの辺のそれぞれに沿って液晶駆動ソース用ＩＣ１１３’及び液晶駆動ゲート用ＩＣ１１４’が設けられており、また、それらのうち液晶駆動ソース用ＩＣ１１３’の外側に液晶パネル１１０’の一辺に沿って側端にＦＰＣ１２０’が取り付けられ、そのＦＰＣ１２０’のＦＰＣ接続端子部１２０ａ’が液晶パネル１１０’上に設けられたＦＰＣ接続用端子に電気的に接続されている。これらの液晶駆動ソース用ＩＣ１１３’及び液晶駆動ゲート用ＩＣ１１４’並びにＦＰＣ１２０’の接続プロセスは、まず、液晶パネル１１０’にＡＣＦ（Ａｎｉｓｏｔｏｒｏｐｉｃ　Ｃｏｎｄｕｃｔｉｖｅ　Ｆｉｌｍ）と呼ばれる異方性導電膜（図示せず）を圧着し、次いで、それを介して液晶駆動ソース用ＩＣ１１３’等を液晶パネル１１０’に加圧機構と加熱機構とを備えたツールヘッドで加熱圧着する方法が一般的に採られる。また、この液晶パネル１１０’は、補助容量が共通バスライン上に結線された絵素構成（図示せず）のものであり、その共通バスラインが液晶パネル１１０’の表示部Ｄ’周辺に設けられた補助容量／対向信号入力配線１１７’に短絡されている。そして、ＦＰＣ１２０’には、液晶駆動ソース用ＩＣ１１３’及び液晶駆動ゲート用ＩＣ１１４’にそれぞれ電源及び入力信号を送るための配線と、補助容量／対向信号入力配線１１７’に補助容量／対向信号を送るための配線と、が設けられている。
【０００７】
【特許文献１】
実開平５−２９０３０号公報
【０００８】
【発明が解決しようとする課題】
ところで、近年、上記のＣＯＧ方式の液晶表示装置１００’の表示画面の大型化及び高精細化が進むのに伴い、ＦＰＣ１２０’から遠方となる液晶駆動ゲート用ＩＣ１１４’への電源及び入力信号の遅延、並びに、補助容量／対向信号入力配線１１７’を介して入力される制御信号の遅延が課題となってきた。これらのうち液晶駆動ゲート用ＩＣ１１４’への電源及び入力信号の遅延の課題は、低抵抗配線の採用や駆動方式（絵素構成）の工夫により回避することができる。しかしながら、表示部Ｄ’を介してＦＰＣ１２０’側とは反対側の補助容量／対向信号入力配線１１７’から補助容量線に入力される信号遅延の課題が回避できず、これによって横シャドーという表示品位の低下を招くこととなる。
【０００９】
図４に示すように、ＦＰＣ１２０’を液晶パネル１１０’の液晶駆動ソース用ＩＣ１１３’及び液晶駆動ゲート用ＩＣ１１４’に対応した２つの辺にそれぞれ取り付けるようにすれば、補助容量／対向信号入力配線１１７’から補助容量線に入力される信号の遅延の課題は解決され、表示品位は問題ないものとなる。ところが、このようにすると、液晶パネル１１０’のＦＰＣ１２０’を取り付けたいずれの辺にも、表示部Ｄ’へデータ信号やゲート信号を供給するための配線、その配線と短絡された出力ボンディングパッド、液晶駆動ソース用ＩＣ１１３’又は液晶駆動ゲート用ＩＣ１１４’へ信号及び電源を入力するための入力配線、その入力配線と短絡された入力ボンディングパッド、ＦＰＣ１２０’を接続するためのＦＰＣ入力端子等を設ける領域を確保する必要が生じる。そのため、図３及び４に示すように、ＦＰＣ１２０’を液晶パネル１１０’の１つの辺に取り付けたときのＣＯＧ領域幅Ａよりも、ＦＰＣ１２０’を液晶パネル１１０’の相互に隣接した２つの辺にそれぞれ取り付けたときのＣＯＧ領域幅Ａ’の方が大きく、狭額縁化が達成できず付加価値の高い液晶表示モジュールの供給ができないという問題がある。
【００１０】
本発明は、かかる点に鑑みてなされたものであり、その目的は、ＦＰＣが液晶パネルの一辺の側端にのみ取り付けられているものの、表示部を介してＦＰＣ側とは反対側のＦＰＣから離間した補助容量信号入力配線に遅滞なく補助容量信号を送ることができる液晶表示装置を提供することにある。
【００１１】
【課題を解決するための手段】
本発明は、ＦＰＣに液晶パネルのＦＰＣが設けられた辺の隣接辺に沿って延び補助容量信号入力配線に接続された延設部を設けたものである。
【００１２】
具体的には、本発明は、複数の補助容量線を有する第１基板と該第１基板に対向するように設けられた第２基板と該第１及び第２基板に狭持されるように設けられた液晶層とを有する矩形の液晶パネルと、該液晶パネルの一辺に沿って側端に取り付けられたＦＰＣと、を備えた液晶表示装置であって、
上記液晶パネルは、表示部を介して上記ＦＰＣ側とは反対側に上記第１基板の複数の補助容量線が結線された補助容量信号入力配線が設けられており、
上記ＦＰＣは、上記液晶パネルの一辺に沿ってその側端に取り付けられたＦＰＣ本体部と、該液晶パネルの該ＦＰＣ本体部が取り付けられた辺の隣接辺に沿って延び上記補助容量信号入力配線に接続された延設部と、を有することを特徴とする。
【００１３】
上記の構成によれば、ＦＰＣ本体部から延びた延設部を介して補助容量信号入力配線に補助容量信号を送ることができるので、液晶パネルの複数の辺にそれぞれＦＰＣを取り付けることなく、ＦＰＣが液晶パネルの一辺の側端にのみ取り付けられているものの、表示部を介してＦＰＣ本体部側とは反対側のＦＰＣ本体部から離間した補助容量信号入力配線に遅滞なく補助容量信号を送ることができる。これによって、電源及び入力信号の遅延の課題を低抵抗配線や駆動方式（絵素構成）の工夫により回避することを組み合わせれば、高表示品位と狭額縁化とを両立させることができる。
【００１４】
本発明は、上記ＦＰＣ本体部と上記延設部とが一体に形成されているものであってもよい。かかる構成によれば、ＦＰＣの接続点数が少なくてよいので、部材接続のための工数及び部材数の低減によるコストダウンを図ることができる。
【００１５】
本発明は、上記延設部が上記補助容量信号入力配線のみに接続されているものであってもよい。かかる構成によれば、延設部を最低限の大きさとすることができるので、それによるコストダウンを図ることができる。
【００１６】
【発明の実施の形態】
以下、本発明の実施形態を図面に基づいて詳細に説明する。
【００１７】
（実施形態１）
図１は、本発明の実施形態１に係る液晶表示装置１００を示す。
【００１８】
この液晶表示装置１００は、アクティブマトリクス基板（第１基板）１１１とそれに対向して設けられた対向基板（第２基板）１１２とそれらの両基板に狭持されるように設けられた液晶層とを有する長方形の液晶パネル１１０と、その液晶パネル１１０の一方の長辺に沿って側端に取り付けられたＦＰＣ１２０と、を備えている。
【００１９】
液晶パネル１１０のアクティブマトリクス基板１１１には、ガラスからなる絶縁性基板内側面上に、液晶パネル１１０の長辺方向に並行に延びるタンタルからなる複数のゲート線と、それらの複数のゲート線のそれぞれの一端に接続されたゲート端子と、ゲート線間を液晶パネル１１０の長辺方向に並行に延びる複数の補助容量線と、が同一レイヤーに設けられている。また、ゲート線及び補助容量線上には窒化シリコン膜が設けられており、その上には、液晶パネル１１０の短辺方向に並行に延びるタンタルからなる複数のソース線と、それらの複数のソース線のそれぞれの一端に接続されたソース端子と、が同一レイヤーに設けられている。つまり、ゲート線とソース線とは直交差するように設けられている。ゲート端子及びソース端子は、それぞれが電極パッドに接続されており、絶縁性基板の縁部近傍において、ゲート端子部Ｇ（図１の液晶パネル１１０の右側部）及びソース端子部Ｓ（図１の液晶パネル１１０の下側部）を形成している。
【００２０】
複数のゲート線と複数のソース線との各交差部近傍には、薄膜トランジスタが設けられている。また、一対のゲート線と一対のソース線とで囲まれる各領域には、透明導電性膜であるＩＴＯ（Ｉｎｄｉｕｍ　Ｔｉｎ　Ｏｘｉｄｅ）からなる画素電極が設けられている。この画素電極は、薄膜トランジスタを介してソース線及びゲート線にそれぞれ接続されており、また、補助容量線との間に誘電体である窒化シリコン膜を挟持することによって保持容量を形成している。
【００２１】
薄膜トランジスタ、ソース線、ゲート線、補助容量線及び画素電極の上には、窒化シリコン膜からなる保護膜が設けられており、さらにその上に、ラビング処理が施されたポリイミドからなる配向膜が設けられている。
【００２２】
液晶パネル１１０の対向基板１１２には、ガラスからなる絶縁性基板内側面上に、クロムからなる遮光膜と、アクリル系の樹脂に赤、青、緑の顔料が分散された色層からなるカラーフィルター層と、カラーフィルター層を覆う、アクリル系の樹脂からなるオーバーコート膜と、が順に積層されている。また、オーバーコート膜上には、透明導電性膜であるＩＴＯからなる対向電極が設けられ、さらにその上には、ラビング処理が施されたポリイミドからなる配向膜が設けられている。
【００２３】
液晶パネル１１０の液晶層は、電気光学特性を有するネマチック液晶等からなる。また、この液晶層は、その周縁が両基板間に介設されたシール部材で封じられている。シール部材は、対向基板１１２の輪郭に沿って設けられている。
【００２４】
液晶表示パネル１のソース端子部Ｓ及びゲート端子部Ｇには、それぞれ一対の液晶駆動ソース用ＩＣ１１３及び一対の液晶駆動ゲート用ＩＣ１１４が液晶パネル１１０のそれぞれの対応する辺に沿って並んで配設されている。これらの液晶駆動ソース用ＩＣ１１３及び液晶駆動ゲート用ＩＣ１１４はＡｕメッキされた突起電極（以下バンプ）を有し、そのバンプは、ソース端子部Ｓの電極パッドやゲート端子部Ｇの電極パッドに異方性導電膜を介して電気的に接続されている。異方性導電膜は、エポキシ系の熱硬化性の絶縁性樹脂に導電性粒子を分散させたものである。
【００２５】
ソース端子部Ｓには、ソース線と同一の材料からなるソース用引き回し配線１１５が設けられ、そのソース用引き回し配線１１５の一方の端部はソース端子と同様に電極パッドに接続されている。ソース端子部Ｓに配置された液晶駆動ソース用ＩＣ１１３のバンプは、ソース端子が接続された電極パッドに接続されていると共に、ソース用引き回し配線１１５が接続された電極パッドにも接続されている。ソース用引き回し配線１１５は、液晶パネル１１０の長辺側の側端部に向かって延び、他方の端部がＦＰＣ接続用端子を構成している。
【００２６】
同様に、ゲート端子部Ｇには、ゲート線と同一の材料からなるゲート用引き回し配線１１６が設けられ、そのゲート用引き回し配線１１６の一方の端部はゲート端子と同様に電極パッドに接続されている。ゲート端子部Ｇに配置された液晶駆動ゲート用ＩＣ１１４のバンプは、ゲート端子が接続された電極パッドに接続されていると共に、ゲート用引き回し配線１１６が接続された電極パッドにも接続されている。ゲート用引き回し配線１１６は、液晶パネル１１０の長辺側の側端部に向かって延び、他方の端部がＦＰＣ接続用端子を構成している。
【００２７】
液晶パネル１１０のアクティブマトリクス基板１１１の画素電極がマトリックス状に配設された表示部（表示領域）Ｄの外側には、表示部Ｄを囲うように補助容量／対向信号入力配線１１７が環状に設けられている。全ての補助容量線は、この補助容量／対向信号入力配線１１７に電気的に接続されている。また、対向電極は、アクティブマトリクス基板１１１と対向基板１１２との間に介設されたカーボンペースト１１８を介してこの補助容量／対向信号入力配線１１７に電気的に接続されている。補助容量／対向信号入力配線１１７は、ソース端子部Ｓに近接した両側の角部（図１中の補助容量／対向信号入力配線１１７の右下及び左下の角部）からそれぞれ外側に配線が延び、その端部がＦＰＣ接続用端子を構成している。また、ゲート端子部Ｇに近接した一方の角部（図１中の補助容量／対向信号入力配線１１７の右上の角部）から外側に配線が延び、その端部がＦＰＣ接続用端子を構成している。なお、表示部Ｄとソース端子部Ｓの間に形成される配線はゲート線と同層のタンタルで形成されており、表示部Ｄとゲート配線の間に形成される配線はソース線と同層のタンタルから形成されている。
【００２８】
ＦＰＣ１２０は、ポリイミド系等の可撓性の基材上に銅箔からなる引き回し配線が形成されたものであり、ＦＰＣ本体部１２１と延設部１２２とが一体となったものである。ＦＰＣ本体部１２１は、液晶パネル１１０のソース端子部Ｓにおける液晶駆動ソース用ＩＣ１１３の外側の側端に沿って設けられ、ＦＰＣ本体部側接続端子部１２１ａが液晶パネル１１０側のソース端子部Ｓの各ＦＰＣ接続用端子に異方性導電膜を介して電気的に接続されている。なお、ＦＰＣ本体部側接続端子部１２１ａはＦＰＣ本体部１２１の引き回し線に接続されている。延設部１２２は、細長い帯状に形成されており、ＦＰＣ本体部１２１から側方に延びた後に直角に屈曲して液晶パネル１１０の短辺側の側端に沿って延び、再度液晶パネル１１０側に直角に屈曲して延びるように設けられており、先端の延設部側接続端子部１２２ａがゲート端子部ＧのＦＰＣ接続用端子に異方性導電膜を介して電気的に接続されている。なお、延設部側接続端子部１２２ａは延設部１２２の引き回し線に接続されている。
【００２９】
このような構成の液晶表示装置１００は、液晶駆動ゲート用ＩＣ１１４から順次ゲート線にゲート信号を送り、それによってゲート信号の送られたゲート線に沿って設けられた画素電極１２の薄膜トランジスタが選択状態となったとき、液晶駆動ソース用ＩＣ１１３からソース線６にソース信号を送って各画素電極１２に所定の電荷を保持させ、それによって液晶層の液晶分子の配向状態を変化させて光の透過度を調整することにより表示を行うものである。液晶駆動ゲート用ＩＣ１１４及び液晶駆動ソース用ＩＣ１１３にはＦＰＣ１２０のＦＰＣ本体部１２１から電源及びゲート信号及びソース信号が送られる。また、補助容量／対向信号入力配線１１７には、ＦＰＣ本体部１２１に近い側についてはＦＰＣ本体部１２１から補助容量／対向信号が送られ、ＦＰＣ本体部１２１から離間した側については延設部１２２から補助容量／対向信号が送られる。
【００３０】
上記構成の液晶表示装置１００によれば、ＦＰＣ本体部１２１から延びた延設部１２２を介して補助容量／対向信号入力配線１１７に補助容量／対向信号を送ることができるので、液晶パネル１１０の複数の辺にそれぞれＦＰＣ１２０を取り付けることが不要であり、ＦＰＣ１２０が液晶パネル１１０の一辺の側端にのみ取り付けられているものの、表示部Ｄを介してＦＰＣ本体部１２１側とは反対側のＦＰＣ本体部１２１から離間した補助容量／対向信号入力配線１１７の部分に遅滞なく補助容量／対向信号を送ることができる。
【００３１】
また、ＦＰＣ１２０が液晶パネル１１０の一辺の側端にのみに取り付けられてＣＯＧ領域幅Ａが小さくできるので、高表示品位と狭額縁化とが両立することとなる。
【００３２】
次に、本実施形態に係る液晶表示装置１００の製造方法について説明する。
【００３３】
＜アクティブマトリクス基板形成工程＞
まず、絶縁基板上に、スパッタリング法によりタンタル薄膜を形成した後、フォトリソグラフ法により、ゲート線、それと接続されるゲート電極、ゲート電極の端部に接続されるゲート端子及び電極パッド、補助容量線、補助容量／対向信号入力配線１１７（但し、ソース端子側の配線のみ）、ソース用及びゲート用引き回し配線１１５，１１６を形成する。
【００３４】
次いで、プラズマＣＶＤ法により窒化シリコン膜、真性アモリファスシリコン膜（ｉ−ａ−Ｓｉ膜）、不純物をドープしたｎ＋アモルファスシリコン膜（ｎ＋−ａ−Ｓｉ膜）を順に積層するように形成した後、ｉ−ａ−Ｓｉ膜、ｎ＋−ａ−Ｓｉ膜の積層膜のみを島状パターンに形成する。
【００３５】
次いで、スパッタリング法によりタンタル薄膜を積層するように形成した後、フォトリソグラフ法により、ソース配線、それと接続されるソース電極、ドレイン電極、補助容量／対向信号入力配線１１７（但し、ゲート端子側の配線のみ）、ソース線と接続されるソース端子及び電極パッドを形成する。このとき、ゲート端子側の補助容量／対向信号入力配線１１７の部分は、補充容量線の終端部上の窒化シリコン膜に形成されるコンタクトホールを介し、ソース端子側の補助容量／対向信号入力配線１１７の部分と表示部Ｄのコーナー部で電気的に接続される。ここで、ドレイン電極とソース電極とは、上記の島状パターンのｉ−ａ−Ｓｉ膜、ｎ＋−ａ−Ｓｉ膜の積層膜と重畳する。
【００３６】
次いで、ドレイン電極とソース電極とをマスクとして、その間のｎ＋−ａ−Ｓｉ膜をエッチングすることによって薄膜トランジスタを形成する。
【００３７】
次いで、スパッタリング法により透明導電性膜であるＩＴＯを形成し、フォトリソグラフ法により画素電極を形成する。このとき、画素電極はドレイン電極と電気的に接続される。
【００３８】
次いで、プラズマＣＶＤ法により窒化シリコン膜及びポリイミドからなる配向膜を積層するように形成した後、その表面にラビング処理を施す。
【００３９】
＜対向基板形成工程＞
絶縁基板上に、遮光膜、カラーフィルタ層、対向電極及びポリイミドからなる配向膜を順に積層するように形成した後、その表面にラビング処理を施す。
【００４０】
＜液晶パネル形成工程＞
アクティブマトリクス基板１１１上に印刷法によりシール材を形成し、対向基板１１２を貼り合わせた後、両基板間に、減圧法により液晶を注入して封止し、液晶層を形成する。
【００４１】
＜駆動ＩＣ及びＦＰＣ実装工程＞
液晶パネル１１０のソース端子部Ｓの電極パッド形成部上に、異方性導電膜を挟んで液晶駆動ソース用ＩＣ１１３を位置合わせし、液晶駆動ソース用ＩＣ１１３上から加熱ツールを押し当てて約１８０℃で加熱することによって、液晶駆動ソース用ＩＣ１１３のバンプと電極パッドとを異方性導電膜を介して接続する。同様に、ゲート端子部Ｇにおいて液晶駆動ゲート用ＩＣ１１４を接続する。
【００４２】
次いで、ＦＰＣ１２０のＦＰＣ本体部１２１のＦＰＣ接続端子部４をソース端子部Ｓの各ＦＰＣ接続用端子に異方性導電膜を介して接続する。同様に、ＦＰＣ１２０の延設部１２２の延設部側接続端子部１２２ａをソース端子部ＳのＦＰＣ接続用端子に異方性導電膜を介して接続する。
【００４３】
（実施形態２）
図２は、本発明の実施形態２に係る液晶表示装置１００を示す。なお、実施形態１と同一名称の部分については同一の符号で示す
この液晶表示装置１００では、ＦＰＣ１２０は、ＦＰＣ本体部１２１と延設部１２２とが別体となっている。つまり、延設部１２２は、その基端部１２２ｂがＦＰＣ本体部１２１に重複しており、その重複部分でＦＰＣ本体部１２１に接着等により固定されている。
【００４４】
その他の構成、作用・効果は実施形態１と同一である。
【００４５】
【発明の効果】
以上説明したように、本発明によれば、ＦＰＣから延びた延設部を介して補助容量信号入力配線に補助容量信号を送ることができるので、液晶パネルの複数の辺にそれぞれＦＰＣを取り付けることなく、ＦＰＣが液晶パネルの一辺の側端にのみ取り付けられているものの、表示部を介してＦＰＣ本体部側とは反対側のＦＰＣ本体部から離間した補助容量信号入力配線に遅滞なく補助容量信号を送ることができる。
【図面の簡単な説明】
【図１】本発明の実施形態１に係る液晶表示装置の平面図である。
【図２】本発明の実施形態２に係る液晶表示装置の平面図である。
【図３】従来技術の液晶表示装置の平面図である。
【図４】別の従来技術の液晶表示装置の平面図である。
【符号の説明】
１００，１００’　液晶表示装置
１１０，１１０’　液晶パネル
１１１　アクティブマトリクス基板
１１２　対向基板
１１３，１１３’　液晶駆動ソース用ＩＣ
１１４，１１４’　液晶駆動ゲート用ＩＣ
１１５　ソース用引き回し配線
１１６　ゲート用引き回し配線
１１７，１１７’　補助容量／対向信号入力配線
１１８　カーボンペースト
１２０，１２０’　ＦＰＣ
１２０ａ’　接続端子部
１２１　ＦＰＣ本体部
１２１ａ　ＦＰＣ本体部側接続端子部
１２２　延設部
１２２ａ　延設部側接続端子部
１２２ｂ　基端部
Ｄ，Ｄ’　表示部
Ｇ　ゲート端子部
Ｓ　ソース端子部
【図１】
2004118089.tif 000003
【図２】
2004118089.tif 000004
【図３】
2004118089.tif 000005
【図４】
2004118089.tif 000006